(57)【要約】【課題】電力に関する計測情報を伝送する電力計測システムにおいて、電力計測装置のコスト増加を抑制しながら、簡易な方法で電力計測装置のアドレスを端末装置に設定する。【解決手段】電力計測装置において、計測情報を無線信号に含めて送信可能な通信部は、自己の前記電力計測装置と対象装置との間で送受信される情報の中継、および他の装置と前記対象装置との間で送受信される情報の中継を並行して行なうことが可能な中継装置を介して前記対象装置と通信を行い、かつ前記中継装置からの無線信号に含まれる情報のうち、宛先アドレスとして自己の前記電力計測装置のアドレスである自己アドレスを含む情報を選択的に処理し、前記自己アドレスを送信元アドレスとして前記計測情報とともに無線信号に含めて前記中継装置へ送信し、前記電力計測装置は、前記自己アドレスの情報を前記対象装置に通知する。【選択図】図１
2015162907.tif 000002
【特許請求の範囲】
【請求項１】
電力計測装置であって、
電力計測部と、
通信相手である対象装置と通信を行い、前記電力計測部による計測結果に基づく計測情報を無線信号に含めて送信可能な通信部とを備え、
前記通信部は、自己の前記電力計測装置と前記対象装置との間で送受信される情報の中継、および他の装置と前記対象装置との間で送受信される情報の中継を並行して行なうことが可能な中継装置を介して前記対象装置と通信を行い、かつ前記中継装置からの無線信号に含まれる情報のうち、宛先アドレスとして自己の前記電力計測装置のアドレスである自己アドレスを含む情報を選択的に処理し、前記自己アドレスを送信元アドレスとして前記計測情報とともに無線信号に含めて前記中継装置へ送信し、
前記電力計測装置は、さらに、
前記自己アドレスの情報を前記対象装置に通知する通知部を備える、電力計測装置。
【請求項２】
前記通知部は、前記対象装置からの所定情報を前記中継装置および前記通信部経由で受信すると、前記自己アドレスの情報を前記通信部および前記中継装置を介して前記対象装置へ送信する、請求項１に記載の電力計測装置。
【請求項３】
端末装置であって、
電力計測装置と前記端末装置との間で送受信される情報の中継、および他の装置と前記端末装置との間で送受信される情報の中継を並行して行なうことが可能な中継装置との通信接続を確立する通信部と、
前記通信接続が確立した後、所定情報を前記中継装置経由でブロードキャストし、前記所定情報に対して前記電力計測装置から送信される前記電力計測装置のアドレス情報を受信するアドレス要求部とを備え、
前記通信部は、前記アドレス情報を用いて、前記電力計測装置のアドレスを宛先アドレスとして含む電力情報要求を送信し、前記電力情報要求に対して前記電力計測装置から送信される計測情報を受信する、端末装置。
【請求項４】
電力計測装置と、
前記電力計測装置の通信相手である対象装置とを備え、
前記電力計測装置は、電力の計測結果に基づく計測情報を無線信号に含めて送信可能であり、
前記電力計測装置および前記対象装置の各々は、前記電力計測装置と前記対象装置との間で送受信される情報の中継、および他の装置と前記対象装置との間で送受信される情報の中継を並行して行なうことが可能な中継装置との通信接続を確立し、
前記電力計測装置は、前記通信接続を確立した後、自己のアドレスである自己アドレスの情報を前記中継装置を介して送信し、
前記対象装置は、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信する、電力計測システム。
【請求項５】
電力計測装置と、前記電力計測装置の通信相手である対象装置とを備える電力計測システムにおける通信制御方法であって、
前記電力計測装置は、電力の計測結果に基づく計測情報を無線信号に含めて送信可能であり、
前記電力計測装置および前記対象装置の各々が、前記電力計測装置と前記対象装置との間で送受信される情報の中継、および他の装置と前記対象装置との間で送受信される情報の中継を並行して行なうことが可能な中継装置との通信接続を確立するステップと、
前記電力計測装置が、前記通信接続を確立した後、自己のアドレスである自己アドレスの情報を前記中継装置を介して送信するステップと、
前記対象装置が、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信するステップとを含む、通信制御方法。
【請求項６】
通信相手である対象装置と通信を行い、電力を計測した結果に基づく計測情報を無線信号に含めて送信可能な電力計測装置において用いられる通信制御プログラムであって、コンピュータに、
自己の前記電力計測装置のアドレスである自己アドレスの情報を前記対象装置に通知するステップと、
自己の前記電力計測装置と前記対象装置との間で送受信される情報の中継、および他の装置と前記対象装置との間で送受信される情報の中継を並行して行なうことが可能な中継装置を介して前記対象装置と通信を行なうステップとを実行させるためのプログラムであり、
前記対象装置と通信を行なうステップにおいては、前記中継装置からの無線信号に含まれる情報のうち、宛先アドレスとして前記自己アドレスを含む情報を選択的に処理し、前記自己アドレスを送信元アドレスとして前記計測情報とともに無線信号に含めて前記中継装置へ送信する、通信制御プログラム。
【請求項７】
端末装置において用いられる通信制御プログラムであって、コンピュータに、
電力計測装置と前記端末装置との間で送受信される情報の中継、および他の装置と前記端末装置との間で送受信される情報の中継を並行して行なうことが可能な中継装置との通信接続を確立するステップと、
前記通信接続が確立した後、所定情報を前記中継装置経由でブロードキャストするステップと、
前記所定情報に対して前記電力計測装置から送信される前記電力計測装置のアドレス情報を受信するステップと、
前記アドレス情報を用いて、前記電力計測装置のアドレスを宛先アドレスとして含む電力情報要求を送信するステップと、
前記電力情報要求に対して前記電力計測装置から送信される計測情報を受信するステップとを含む、通信制御プログラム。
【発明の詳細な説明】
【技術分野】
【０００１】
本発明は、電力計測装置、端末装置、電力計測システム、通信制御方法および通信制御プログラムに関し、特に、電力に関する計測情報を伝送するための電力計測装置、端末装置、電力計測システム、通信制御方法および通信制御プログラムに関する。
【背景技術】
【０００２】
節電等の目的から家庭および職場における消費電力量を測定し、ユーザにおいて消費電力量を確認可能とする電力計測システムが開発されている。
【０００３】
このような電力計測システムでは、たとえば、電力計測を行なう電力計測装置とタブレット等の端末装置とが無線ネットワーク経由で通信を行なうことにより、ユーザは、消費電力に関する情報を端末装置において確認することができる。
【０００４】
ネットワーク機器のアドレス設定を行なう技術の一例として、たとえば、特開２０００−１２２９４４号公報（特許文献１）には、以下のような構成が開示されている。すなわち、ネットワーク制御装置は、他のネットワークデバイスに対して、ネットワークデバイスを探索する探索パケットを、探索部によりブロードキャストする。それを受信したデバイスは、送信元ＭＡＣアドレスを付した応答をネットワーク制御装置に返す。ネットワーク制御装置はそれを受けて、デバイスのリストをＵＩにより表示し、その中からユーザにより選択され、設定値が入力されると、ネットワーク設定をそのデバイスに対して送信し、設定させる。
【先行技術文献】
【特許文献】
【０００５】
【特許文献１】特開２０００−１２２９４４号公報
【発明の概要】
【発明が解決しようとする課題】
【０００６】
特許文献１に記載の技術では、ＩＰ（Ｉｎｔｅｒｎｅｔ  Ｐｒｏｔｏｃｏｌ）アドレスを持たないネットワーク機器を、ＭＡＣ（Ｍｅｄｉａ  Ａｃｃｅｓｓ  Ｃｏｎｔｒｏｌ）アドレスを用いて通信可能としている。
【０００７】
一方、ＩＰアドレスを用いて電力に関する計測情報の伝送を行なう電力計測システムでは、たとえば、電力計測装置からの計測情報を端末装置において取得するために、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）によって電力計測装置に割り当てられたＩＰアドレスをユーザが端末装置に設定する必要がある。
【０００８】
このため、たとえば、電力計測装置においてＩＰアドレスをユーザが確認するための液晶画面等が必要となる。
【０００９】
この発明は、上述の課題を解決するためになされたもので、その目的は、電力に関する計測情報を伝送する電力計測システムにおいて、電力計測装置のコスト増加を抑制しながら、簡易な方法で電力計測装置のアドレスを端末装置に設定することが可能な電力計測装置、端末装置、電力計測システム、通信制御方法および通信制御プログラムを提供することである。
【課題を解決するための手段】
【００１０】
（１）上記課題を解決するために、この発明のある局面に係わる電力計測装置は、電力計測部と、通信相手である対象装置と通信を行い、前記電力計測部による計測結果に基づく計測情報を無線信号に含めて送信可能な通信部とを備え、前記通信部は、自己の前記電力計測装置と前記対象装置との間で送受信される情報の中継、および他の装置と前記対象装置との間で送受信される情報の中継を並行して行なうことが可能な中継装置を介して前記対象装置と通信を行い、かつ前記中継装置からの無線信号に含まれる情報のうち、宛先アドレスとして自己の前記電力計測装置のアドレスである自己アドレスを含む情報を選択的に処理し、前記自己アドレスを送信元アドレスとして前記計測情報とともに無線信号に含めて前記中継装置へ送信し、前記電力計測装置は、さらに、前記自己アドレスの情報を前記対象装置に通知する通知部を備える。
【００１１】
（３）上記課題を解決するために、この発明のある局面に係わる端末装置は、電力計測装置と前記端末装置との間で送受信される情報の中継、および他の装置と前記端末装置との間で送受信される情報の中継を並行して行なうことが可能な中継装置との通信接続を確立する通信部と、前記通信接続が確立した後、所定情報を前記中継装置経由でブロードキャストし、前記所定情報に対して前記電力計測装置から送信される前記電力計測装置のアドレス情報を受信するアドレス要求部とを備え、前記通信部は、前記アドレス情報を用いて、前記電力計測装置のアドレスを宛先アドレスとして含む電力情報要求を送信し、前記電力情報要求に対して前記電力計測装置から送信される計測情報を受信する。
【００１２】
（４）上記課題を解決するために、この発明のある局面に係わる電力計測システムは、電力計測装置と、前記電力計測装置の通信相手である対象装置とを備え、前記電力計測装置は、電力の計測結果に基づく計測情報を無線信号に含めて送信可能であり、前記電力計測装置および前記対象装置の各々は、前記電力計測装置と前記対象装置との間で送受信される情報の中継、および他の装置と前記対象装置との間で送受信される情報の中継を並行して行なうことが可能な中継装置との通信接続を確立し、前記電力計測装置は、前記通信接続を確立した後、自己のアドレスである自己アドレスの情報を前記中継装置を介して送信し、前記対象装置は、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信する。
【００１３】
（５）上記課題を解決するために、この発明のある局面に係わる通信制御方法は、電力計測装置と、前記電力計測装置の通信相手である対象装置とを備える電力計測システムにおける通信制御方法であって、前記電力計測装置は、電力の計測結果に基づく計測情報を無線信号に含めて送信可能であり、前記電力計測装置および前記対象装置の各々が、前記電力計測装置と前記対象装置との間で送受信される情報の中継、および他の装置と前記対象装置との間で送受信される情報の中継を並行して行なうことが可能な中継装置との通信接続を確立するステップと、前記電力計測装置が、前記通信接続を確立した後、自己のアドレスである自己アドレスの情報を前記中継装置を介して送信するステップと、前記対象装置が、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信するステップとを含む。
【００１４】
（６）上記課題を解決するために、この発明のある局面に係わる通信制御プログラムは、通信相手である対象装置と通信を行い、電力を計測した結果に基づく計測情報を無線信号に含めて送信可能な電力計測装置において用いられる通信制御プログラムであって、コンピュータに、自己の前記電力計測装置のアドレスである自己アドレスの情報を前記対象装置に通知するステップと、自己の前記電力計測装置と前記対象装置との間で送受信される情報の中継、および他の装置と前記対象装置との間で送受信される情報の中継を並行して行なうことが可能な中継装置を介して前記対象装置と通信を行なうステップとを実行させるためのプログラムであり、前記対象装置と通信を行なうステップにおいては、前記中継装置からの無線信号に含まれる情報のうち、宛先アドレスとして前記自己アドレスを含む情報を選択的に処理し、前記自己アドレスを送信元アドレスとして前記計測情報とともに無線信号に含めて前記中継装置へ送信するプログラムである。
【００１５】
（７）上記課題を解決するために、この発明のある局面に係わる通信制御プログラムは、端末装置において用いられる通信制御プログラムであって、コンピュータに、電力計測装置と前記端末装置との間で送受信される情報の中継、および他の装置と前記端末装置との間で送受信される情報の中継を並行して行なうことが可能な中継装置との通信接続を確立するステップと、前記通信接続が確立した後、所定情報を前記中継装置経由でブロードキャストするステップと、前記所定情報に対して前記電力計測装置から送信される前記電力計測装置のアドレス情報を受信するステップと、前記アドレス情報を用いて、前記電力計測装置のアドレスを宛先アドレスとして含む電力情報要求を送信するステップと、前記電力情報要求に対して前記電力計測装置から送信される計測情報を受信するステップとを含むプログラムである。
【００１６】
本発明は、このような特徴的な処理部を備える電力計測装置として実現できるだけでなく、かかる特徴的な処理をステップとする方法として実現することができる。また、電力計測装置の一部または全部を実現する半導体集積回路として実現することができる。
【００１７】
また、本発明は、このような特徴的な処理部を備える端末装置として実現できるだけでなく、かかる特徴的な処理をステップとする方法として実現することができる。また、端末装置の一部または全部を実現する半導体集積回路として実現することができる。
【００１８】
また、本発明は、このような特徴的な処理部を備える電力計測システムとして実現できるだけでなく、かかる特徴的な処理のステップをコンピュータに実行させるためのプログラムとして実現することができる。また、電力計測システムの一部または全部を実現する半導体集積回路として実現することができる。
【発明の効果】
【００１９】
本発明によれば、電力に関する計測情報を伝送する電力計測システムにおいて、電力計測装置のコスト増加を抑制しながら、簡易な方法で電力計測装置のアドレスを端末装置に設定することができる。
【図面の簡単な説明】
【００２０】
【図１】図１は、本発明の実施の形態に係る電力計測システムの構成を示す図である。
【図２】図２は、本発明の実施の形態に係る電力計測システムにおける端末装置の構成を示す図である。
【図３】図３は、本発明の実施の形態に係る電力計測システムが電力計測情報を伝送する際の動作手順の一例を定めたフローチャートである。
【発明を実施するための形態】
【００２１】
最初に、本発明の実施形態の内容を列記して説明する。
【００２２】
（１）本発明の実施の形態に係る電力計測装置は、電力計測部と、通信相手である対象装置と通信を行い、前記電力計測部による計測結果に基づく計測情報を無線信号に含めて送信可能な通信部とを備え、前記通信部は、自己の前記電力計測装置と前記対象装置との間で送受信される情報の中継、および他の装置と前記対象装置との間で送受信される情報の中継を並行して行なうことが可能な中継装置を介して前記対象装置と通信を行い、かつ前記中継装置からの無線信号に含まれる情報のうち、宛先アドレスとして自己の前記電力計測装置のアドレスである自己アドレスを含む情報を選択的に処理し、前記自己アドレスを送信元アドレスとして前記計測情報とともに無線信号に含めて前記中継装置へ送信し、前記電力計測装置は、さらに、前記自己アドレスの情報を前記対象装置に通知する通知部を備える。
【００２３】
このように、電力計測装置が自己のアドレスを対象装置に通知する構成により、電力計測装置のアドレスをユーザが確認するための液晶画面等を電力計測装置に設ける必要がなくなる。また、対象装置が自動的に電力計測装置のアドレスを取得することができるため、ユーザは、電力計測装置のアドレスを認識して対象装置に設定する必要がない。したがって、本発明の実施の形態に係る電力計測装置では、電力に関する計測情報を伝送する電力計測システムにおいて、電力計測装置のコスト増加を抑制しながら、簡易な方法で電力計測装置のアドレスを端末装置に設定することができる。
【００２４】
（２）好ましくは、前記通知部は、前記対象装置からの所定情報を前記中継装置および前記通信部経由で受信すると、前記自己アドレスの情報を前記通信部および前記中継装置を介して前記対象装置へ送信する。
【００２５】
このような構成により、電力計測装置が適切なタイミングで自己のアドレスを対象装置に通知することができるため、たとえば電力計測装置が自己のアドレス情報をブロードキャストする必要がなくなり、処理負荷の増加および通信トラフィックの増加を防ぐことができる。
【００２６】
（３）本発明の実施の形態に係る端末装置は、電力計測装置と前記端末装置との間で送受信される情報の中継、および他の装置と前記端末装置との間で送受信される情報の中継を並行して行なうことが可能な中継装置との通信接続を確立する通信部と、前記通信接続が確立した後、所定情報を前記中継装置経由でブロードキャストし、前記所定情報に対して前記電力計測装置から送信される前記電力計測装置のアドレス情報を受信するアドレス要求部とを備え、前記通信部は、前記アドレス情報を用いて、前記電力計測装置のアドレスを宛先アドレスとして含む電力情報要求を送信し、前記電力情報要求に対して前記電力計測装置から送信される計測情報を受信する。
【００２７】
このように、端末装置が、電力計測装置に対してアドレス情報を要求して取得する構成により、電力計測装置のアドレスをユーザが確認するための液晶画面等を電力計測装置に設ける必要がなくなる。また、端末装置が自動的に電力計測装置のアドレスを取得することができるため、ユーザは、電力計測装置のアドレスを認識して端末装置に設定する必要がない。したがって、本発明の実施の形態に係る端末装置では、電力に関する計測情報を伝送する電力計測システムにおいて、電力計測装置のコスト増加を抑制しながら、簡易な方法で電力計測装置のアドレスを端末装置に設定することができる。また、電力計測装置が適切なタイミングで自己のアドレスを端末装置に通知することができるため、たとえば電力計測装置が自己のアドレス情報をブロードキャストする必要がなくなり、処理負荷の増加および通信トラフィックの増加を防ぐことができる。
【００２８】
（４）本発明の実施の形態に係る電力計測システムは、電力計測装置と、前記電力計測装置の通信相手である対象装置とを備え、前記電力計測装置は、電力の計測結果に基づく計測情報を無線信号に含めて送信可能であり、前記電力計測装置および前記対象装置の各々は、前記電力計測装置と前記対象装置との間で送受信される情報の中継、および他の装置と前記対象装置との間で送受信される情報の中継を並行して行なうことが可能な中継装置との通信接続を確立し、前記電力計測装置は、前記通信接続を確立した後、自己のアドレスである自己アドレスの情報を前記中継装置を介して送信し、前記対象装置は、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信する。
【００２９】
このように、電力計測装置が自己のアドレスを対象装置に通知する構成により、電力計測装置のアドレスをユーザが確認するための液晶画面等を電力計測装置に設ける必要がなくなる。また、対象装置が自動的に電力計測装置のアドレスを取得することができるため、ユーザは、電力計測装置のアドレスを認識して対象装置に設定する必要がない。したがって、本発明の実施の形態に係る電力計測システムでは、電力に関する計測情報を伝送する電力計測システムにおいて、電力計測装置のコスト増加を抑制しながら、簡易な方法で電力計測装置のアドレスを端末装置に設定することができる。
【００３０】
（５）本発明の実施の形態に係る通信制御方法は、電力計測装置と、前記電力計測装置の通信相手である対象装置とを備える電力計測システムにおける通信制御方法であって、前記電力計測装置は、電力の計測結果に基づく計測情報を無線信号に含めて送信可能であり、前記電力計測装置および前記対象装置の各々が、前記電力計測装置と前記対象装置との間で送受信される情報の中継、および他の装置と前記対象装置との間で送受信される情報の中継を並行して行なうことが可能な中継装置との通信接続を確立するステップと、前記電力計測装置が、前記通信接続を確立した後、自己のアドレスである自己アドレスの情報を前記中継装置を介して送信するステップと、前記対象装置が、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信するステップとを含む。
【００３１】
このように、電力計測装置が自己のアドレスを対象装置に通知する構成により、電力計測装置のアドレスをユーザが確認するための液晶画面等を電力計測装置に設ける必要がなくなる。また、対象装置が自動的に電力計測装置のアドレスを取得することができるため、ユーザは、電力計測装置のアドレスを認識して対象装置に設定する必要がない。したがって、本発明の実施の形態に係る通信制御方法では、電力に関する計測情報を伝送する電力計測システムにおいて、電力計測装置のコスト増加を抑制しながら、簡易な方法で電力計測装置のアドレスを端末装置に設定することができる。
【００３２】
（６）本発明の実施の形態に係る通信制御プログラムは、通信相手である対象装置と通信を行い、電力を計測した結果に基づく計測情報を無線信号に含めて送信可能な電力計測装置において用いられる通信制御プログラムであって、コンピュータに、自己の前記電力計測装置のアドレスである自己アドレスの情報を前記対象装置に通知するステップと、自己の前記電力計測装置と前記対象装置との間で送受信される情報の中継、および他の装置と前記対象装置との間で送受信される情報の中継を並行して行なうことが可能な中継装置を介して前記対象装置と通信を行なうステップとを実行させるためのプログラムであり、前記対象装置と通信を行なうステップにおいては、前記中継装置からの無線信号に含まれる情報のうち、宛先アドレスとして前記自己アドレスを含む情報を選択的に処理し、前記自己アドレスを送信元アドレスとして前記計測情報とともに無線信号に含めて前記中継装置へ送信するプログラムである。
【００３３】
このように、電力計測装置が自己のアドレスを対象装置に通知する構成により、電力計測装置のアドレスをユーザが確認するための液晶画面等を電力計測装置に設ける必要がなくなる。また、対象装置が自動的に電力計測装置のアドレスを取得することができるため、ユーザは、電力計測装置のアドレスを認識して対象装置に設定する必要がない。したがって、本発明の実施の形態に係る通信制御プログラムでは、電力に関する計測情報を伝送する電力計測システムにおいて、電力計測装置のコスト増加を抑制しながら、簡易な方法で電力計測装置のアドレスを端末装置に設定することができる。
【００３４】
（７）本発明の実施の形態に係る通信制御プログラムは、端末装置において用いられる通信制御プログラムであって、コンピュータに、電力計測装置と前記端末装置との間で送受信される情報の中継、および他の装置と前記端末装置との間で送受信される情報の中継を並行して行なうことが可能な中継装置との通信接続を確立するステップと、前記通信接続が確立した後、所定情報を前記中継装置経由でブロードキャストするステップと、前記所定情報に対して前記電力計測装置から送信される前記電力計測装置のアドレス情報を受信するステップと、前記アドレス情報を用いて、前記電力計測装置のアドレスを宛先アドレスとして含む電力情報要求を送信するステップと、前記電力情報要求に対して前記電力計測装置から送信される計測情報を受信するステップとを含むプログラムである。
【００３５】
このように、端末装置が、電力計測装置に対してアドレス情報を要求して取得する構成により、電力計測装置のアドレスをユーザが確認するための液晶画面等を電力計測装置に設ける必要がなくなる。また、端末装置が自動的に電力計測装置のアドレスを取得することができるため、ユーザは、電力計測装置のアドレスを認識して端末装置に設定する必要がない。したがって、本発明の実施の形態に係る端末装置では、電力に関する計測情報を伝送する電力計測システムにおいて、電力計測装置のコスト増加を抑制しながら、簡易な方法で電力計測装置のアドレスを端末装置に設定することができる。また、電力計測装置が適切なタイミングで自己のアドレスを端末装置に通知することができるため、たとえば電力計測装置が自己のアドレス情報をブロードキャストする必要がなくなり、処理負荷の増加および通信トラフィックの増加を防ぐことができる。
【００３６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３７】
［構成および基本動作］
図１は、本発明の実施の形態に係る電力計測システムの構成を示す図である。
【００３８】
図１を参照して、電力計測システム３０１は、家庭内および職場内等の宅内に構築され、電力計測装置１０１と、無線ＬＡＮルータ（中継装置）１５１と、ＰＣＳ（パワーコンディショナ）１６２と、発電装置１６３と、ＣＴセンサ１６４と、端末装置２０２とを備える。電力計測装置１０１は、電圧変換回路１１と、演算処理部（通知部）１２と、通信部１３と、記憶部１４と、クロック回路１５と、電源回路１６と、操作部１７とを備える。電圧変換回路１１の一部または全部、および演算処理部１２の一部または全部が、本発明の実施の形態に係る電力計測部に相当する。
【００３９】
電力計測装置１０１は、たとえば、宅内における売買電力を計測するとともに、宅内における発電電力を計測する。そして、電力計測装置１０１は、たとえば、宅内における発電電力、消費電力および売買電力を示す計測情報を作成して保持する。また、電力計測装置１０１は、作成した計測情報を無線信号に含めて無線ＬＡＮルータ１５１へ送信する。
【００４０】
無線ＬＡＮルータ１５１は、電力計測装置１０１から受信した無線信号に含まれる計測情報を再び無線信号に含めて端末装置２０２へ送信する。
【００４１】
端末装置２０２は、無線ＬＡＮルータ１５１経由で電力計測装置１０１から受信した計測情報を処理することにより、各種電力のグラフ表示、料金表示、および二酸化炭素の削減量の表示等を行なう。
【００４２】
ＣＴセンサ１６４は、分電盤１６６において、電力系統１６１に接続された電力線１６５を通して流れる電流を測定し、測定した電流値に応じた信号を電圧変換回路１１へ出力する。
【００４３】
発電装置１６３は、たとえば、太陽光発電装置であり、発電した直流電力をＰＣＳ１６２へ出力する。
【００４４】
ＰＣＳ１６２は、発電装置１６３から受けた直流電力を交流電力に変換して電力線１６５へ出力する。また、ＰＣＳ１６２は、発電装置１６３の発電電力を測定し、測定結果を示す信号を演算処理部１２へ出力する。
【００４５】
電圧変換回路１１は、ＣＴセンサ１６４から受けた信号を、ＣＴセンサ１６４によって測定された電流値に応じたレベルの電圧であって適切な範囲の電圧に変換して演算処理部１２へ出力する。また、電圧変換回路１１は、電力線１６５の電圧を適切な範囲の電圧に変換して演算処理部１２へ出力する。
【００４６】
演算処理部１２は、たとえばＣＰＵ（Ｃｅｎｔｒａｌ  Ｐｒｏｃｅｓｓｉｎｇ  Ｕｎｉｔ）またはマイコンであり、各種演算処理および各ユニットの制御を行なう。たとえば、演算処理部１２は、電圧変換回路１１から受けた各電圧、およびＰＣＳ１６２から受けた信号に基づいて、宅内における発電電力、消費電力および売買電力を示す計測情報を作成して記憶部１４に保存する。なお、計測情報は、電力を示す情報に限らず、電圧または電流等を示す情報であってもよい。記憶部１４は、たとえばフラッシュメモリである。
【００４７】
具体的には、発電装置１６３の発電量が大きく、発電装置１６３からＰＣＳ１６２および電力線１６５を介して電力系統１６１に電力が供給されている売電状態では、演算処理部１２において売電力が算出される。また、発電装置１６３の発電量が足りず、電力系統１６１から電力線１６５を介して宅内に電力が供給されている状態では、演算処理部１２において買電力が算出される。また、演算処理部１２は、売電状態において、宅内の総消費電力＝発電装置１６３の発電量−売電量と算出し、買電状態において、宅内の総消費電力＝発電装置１６３の発電量＋買電量と算出する。
【００４８】
通信部１３は、通信相手である対象装置たとえば端末装置２０２と無線通信を行なう。より詳細には、通信部１３は、無線ＬＡＮルータ１５１と無線信号を送受信することにより、無線ＬＡＮルータ１５１を介して端末装置２０２と各種情報をやり取りする。
【００４９】
より詳細には、演算処理部１２は、各種情報を通信部１３へ出力する。通信部１３は、演算処理部１２から受けた情報を含む無線信号を生成して無線ＬＡＮルータ１５１経由で端末装置２０２へ送信する。たとえば、通信部１３は、電力計測部による計測結果に基づく計測情報を無線信号に含めて送信可能である。
【００５０】
また、通信部１３は、無線ＬＡＮルータ１５１から受信した無線信号に含まれる各種情報を取得し、取得した情報を演算処理部１２へ出力する。
【００５１】
具体的には、たとえば、通信部１３は、無線ＬＡＮルータ１５１から割り当てられたＩＰアドレスを記憶部１４に保存する。
【００５２】
また、たとえば、通信部１３は、無線ＬＡＮルータ１５１から受信した無線信号に含まれる端末装置２０２からの電力情報要求を取得し、取得した電力情報要求を演算処理部１２へ出力する。
【００５３】
演算処理部１２は、通信部１３から電力情報要求を受けて、記憶部１４から計測情報を取得し、取得した計測情報を通信部１３へ出力する。
【００５４】
通信部１３は、演算処理部１２から受けた計測情報を含む無線信号を生成して無線ＬＡＮルータ１５１経由で端末装置２０２へ送信する。
【００５５】
より詳細には、通信部１３は、無線ＬＡＮルータ１５１からの無線信号に含まれる情報のうち、宛先アドレスとして自己の電力計測装置１０１のアドレスである自己アドレスを含む情報を選択的に処理する。また、通信部１３は、記憶部１４から取得した自己アドレスを送信元アドレスとして計測情報とともに無線信号に含めて無線ＬＡＮルータ１５１へ送信する。
【００５６】
また、演算処理部１２は、自己の電力計測装置１０１のアドレスである自己アドレスの情報を通信部１３経由で端末装置２０２に通知する。
【００５７】
たとえば、演算処理部１２は、端末装置２０２からの所定情報を無線ＬＡＮルータ１５１および通信部１３経由で受信すると、自己アドレスの情報を通信部１３および無線ＬＡＮルータ１５１を介して端末装置２０２へ送信する。
【００５８】
操作部１７は、たとえばスイッチを含み、ユーザの操作に応じた操作信号を演算処理部１２へ出力する。クロック回路１５は、演算処理部１２の動作クロックを生成して演算処理部１２へ出力する。電源回路１６は、電力計測装置１０１における各回路に電力を供給する。電源回路１６は、たとえばＰＣＳ１６２から電力の供給を受ける。
【００５９】
図２は、本発明の実施の形態に係る電力計測システムにおける端末装置の構成を示す図である。
【００６０】
図２を参照して、端末装置２０２は、通信部２１と、演算処理部（アドレス要求部）２２と、表示部２３と、操作部２４と、記憶部２５とを備える。
【００６１】
演算処理部２２は、たとえばＣＰＵまたはマイコンであり、各種演算処理および各ユニットの制御を行なう。
【００６２】
記憶部２５は、たとえばフラッシュメモリであり、電力モニタ用のアプリケーションプログラム等を保持する。
【００６３】
操作部２４は、ユーザの操作を受け付け、当該操作内容に応じた操作信号を演算処理部２２へ出力する。
【００６４】
通信部２１は、無線ＬＡＮルータ１５１との通信接続を確立する。通信部２１は、無線ＬＡＮルータ１５１と無線信号を送受信することにより、無線ＬＡＮルータ１５１を介して電力計測装置１０１等の他の装置と各種情報をやり取りする。
【００６５】
より詳細には、演算処理部２２は、各種情報を通信部２１へ出力する。通信部２１は、演算処理部２２から受けた情報を含む無線信号を生成して無線ＬＡＮルータ１５１経由で電力計測装置１０１等の他の装置へ送信する。
【００６６】
また、通信部２１は、無線ＬＡＮルータ１５１から受信した無線信号に含まれる情報を取得し、取得した情報を演算処理部２２へ出力する。
【００６７】
具体的には、たとえば、通信部２１は、無線ＬＡＮルータ１５１から割り当てられたＩＰアドレスを記憶部２５に保存する。
【００６８】
また、たとえば、演算処理部２２は、電力要求情報を通信部２１へ出力する。通信部２１は、演算処理部２２から受けた電力要求情報を含む無線信号を生成して無線ＬＡＮルータ１５１経由で電力計測装置１０１へ送信する。
【００６９】
また、通信部２１は、無線ＬＡＮルータ１５１から受信した無線信号に含まれる電力計測装置１０１からの計測情報を取得し、取得した計測情報を演算処理部２２へ出力する。
【００７０】
演算処理部２２は、通信部２１と無線ＬＡＮルータ１５１との通信接続が確立した後、所定情報を通信部２１経由でブロードキャストし、当該所定情報に対して電力計測装置１０１から送信される電力計測装置１０１のアドレス情報を無線ＬＡＮルータ１５１および通信部２１経由で受信し、記憶部２５に保存する。
【００７１】
通信部２１は、当該アドレス情報を用いて、電力計測装置１０１のアドレスを宛先アドレスとして含む電力情報要求を送信し、電力情報要求に対して電力計測装置１０１から送信される計測情報を受信する。
【００７２】
演算処理部２２は、記憶部２５に保持されているアプリケーションプログラムをロードして電力モニタ用のアプリケーションを起動し、当該アプリケーションを用いて通信部２１から受けた計測情報を処理することにより、表示部２３において、各種電力のグラフ表示、料金表示、および二酸化炭素の削減量の表示等を行なう。
【００７３】
［動作］
次に、本発明の実施の形態に係る電力計測システムにおける電力計測情報の伝送動作について説明する。
【００７４】
電力計測システム３０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００７５】
図３は、本発明の実施の形態に係る電力計測システムが電力計測情報を伝送する際の動作手順の一例を定めたフローチャートである。
【００７６】
電力計測装置１０１は、無線ＬＡＮルータ１５１との通信接続を確立した後、無線ＬＡＮルータ１５１から割り当てられた自己のアドレスである自己アドレスの情報を無線ＬＡＮルータ１５１を介して送信する。
【００７７】
端末装置２０２は、自己アドレスの情報を受信して、自己アドレスを宛先アドレスとして含む電力情報要求を送信し、電力情報要求に対して電力計測装置１０１から送信される計測情報であって、自己アドレスを送信元アドレスとして含む計測情報を受信する。
【００７８】
具体的には、図３を参照して、まず、電力計測装置１０１は、無線ＬＡＮルータ１５１と通信接続を確立し（ステップＳ１）、無線ＬＡＮルータ１５１からＩＰアドレスを割り当てられている状態である（ステップＳ２）。
【００７９】
また、端末装置２０２は、無線ＬＡＮルータ１５１と通信接続を確立し（ステップＳ３）、無線ＬＡＮルータ１５１からＩＰアドレスを割り当てられている状態である（ステップＳ４）。
【００８０】
このような状態において、端末装置２０２は、電力モニタ用のアプリケーションを起動する（ステップＳ５）。
【００８１】
次に、端末装置２０２は、このアプリケーションの起動に伴い、たとえばＵＤＰを用いて、記憶部２５から取得した自己のＩＰアドレスを送信元アドレスとする機器検索コマンドを無線ＬＡＮルータ１５１経由でブロードキャストする（ステップＳ６）。
【００８２】
次に、電力計測装置１０１は、端末装置２０２からブロードキャストされた機器検索コマンドを取得する（ステップＳ７）。なお、電力計測装置１０１以外の他の装置では、この機器検索コマンドは無視される。
【００８３】
次に、電力計測装置１０１は、機器検索コマンドの取得に応答して、たとえばＴＣＰに従い、機器検索コマンドに送信元アドレスとして含まれている端末装置２０２のＩＰアドレスを宛先アドレスとする、保持している自己のＩＰアドレスを含むＩＰアドレス情報を作成する。そして、電力計測装置１０１は、ＩＰアドレス情報を無線ＬＡＮルータ１５１経由で端末装置２０２へ送信する（ステップＳ８）。
【００８４】
次に、端末装置２０２は、電力計測装置１０１から受信したＩＰアドレス情報を、電力計測装置１０１のＩＰアドレスとして、たとえば記憶部２５に保存する（ステップＳ９）。
【００８５】
次に、端末装置２０２は、正しい時刻の計測情報を電力計測装置１０１から取得するために、保持している電力計測装置１０１のＩＰアドレスを宛先アドレスとする時刻情報を無線ＬＡＮルータ１５１へ送信する（ステップＳ１０）。
【００８６】
次に、電力計測装置１０１は、端末装置２０２から時刻情報を無線ＬＡＮルータ１５１経由で受信し、受信した時刻情報に基づいて、自己の時計を設定する。電力計測装置１０１は、この時計を用いて、各種電力の測定結果と時刻とを対応付けた計測情報を作成する（ステップＳ１１）。
【００８７】
次に、端末装置２０２は、保持している電力計測装置１０１のＩＰアドレスを宛先アドレスとする電力情報要求を無線ＬＡＮルータ１５１へ送信する（ステップＳ１２）。
【００８８】
次に、電力計測装置１０１は、端末装置２０２から電力情報要求を無線ＬＡＮルータ１５１経由で受信して、端末装置２０２のＩＰアドレスを宛先アドレスとして計測情報を無線ＬＡＮルータ１５１経由で端末装置２０２へ送信する（ステップＳ１３）。
【００８９】
次に、端末装置２０２は、電力計測装置１０１から受信した計測情報を処理することにより、各種電力のグラフ表示、料金表示、および二酸化炭素の削減量の表示等を行なう（ステップＳ１４）。
【００９０】
また、端末装置２０２は、たとえば、電力要求情報を電力計測装置１０１へ定期的に送信することにより、計測情報を定期的に受信し、各種電力表示を更新する。
なお、電力計測システム３０１は、端末装置２０２から電力計測装置１０１への時刻情報の送信（ステップＳ１０）および電力計測装置１０１における時計の設定（ステップＳ１１）を行なわない構成であってもよい。
【００９１】
なお、電力計測システム３０１では、端末装置２０２から送信される機器検索コマンドに応答して電力計測装置１０１からＩＰアドレス情報が送信される構成であるとしたが、これに限定するものではない。セキュリティおよび通信負荷等の問題がなければ、たとえば、電力計測装置１０１がＩＰアドレス情報を無線ＬＡＮルータ１５１経由で定期的にブロードキャストする構成であってもよい。
【００９２】
ところで、ＩＰアドレスを用いて電力に関する計測情報の伝送を行なう電力計測システムでは、たとえば、電力計測装置からの計測情報を端末装置において取得するために、ＤＨＣＰによって電力計測装置に割り当てられたＩＰアドレスをユーザが端末装置に設定する必要がある。このため、たとえば、電力計測装置においてＩＰアドレスをユーザが確認するための液晶画面等が必要となる。
【００９３】
これに対して、本発明の実施の形態に係る電力計測装置では、通信部１３は、通信相手である対象装置たとえば端末装置２０２と無線通信を行い、電力計測部による計測結果に基づく計測情報を無線信号に含めて送信可能である。また、通信部１３は、無線ＬＡＮルータ１５１を介して端末装置２０２と通信を行い、かつ無線ＬＡＮルータ１５１からの無線信号に含まれる情報のうち、宛先アドレスとして自己の電力計測装置１０１のアドレスである自己アドレスを含む情報を選択的に処理する。また、通信部１３は、自己アドレスを送信元アドレスとして計測情報とともに無線信号に含めて無線ＬＡＮルータ１５１へ送信する。また、演算処理部１２は、自己アドレスの情報を通信部１３経由で端末装置２０２に通知する。
【００９４】
このように、電力計測装置１０１が自己のアドレスを端末装置２０２に通知する構成により、電力計測装置１０１のアドレスをユーザが確認するための液晶画面等を電力計測装置１０１に設ける必要がなくなる。また、端末装置２０２が自動的に電力計測装置１０１のアドレスを取得することができるため、ユーザは、電力計測装置１０１のアドレスを認識して端末装置２０２に設定する必要がない。
【００９５】
したがって、本発明の実施の形態に係る電力計測装置では、電力に関する計測情報を伝送する電力計測システムにおいて、電力計測装置のコスト増加を抑制しながら、簡易な方法で電力計測装置のアドレスを端末装置に設定することができる。
【００９６】
また、本発明の実施の形態に係る電力計測装置では、演算処理部１２は、端末装置２０２からの所定情報を無線ＬＡＮルータ１５１および通信部１３経由で受信すると、自己アドレスの情報を通信部１３および無線ＬＡＮルータ１５１を介して端末装置２０２へ送信する。
【００９７】
このような構成により、電力計測装置１０１が適切なタイミングで自己のアドレスを端末装置２０２に通知することができるため、たとえば電力計測装置１０１が自己のアドレス情報をブロードキャストする必要がなくなり、処理負荷の増加および通信トラフィックの増加を防ぐことができる。
【００９８】
また、本発明の実施の形態に係る端末装置では、通信部２１は、無線ＬＡＮルータ１５１との通信接続を確立する。演算処理部２２は、当該通信接続が確立した後、所定情報を無線ＬＡＮルータ１５１経由でブロードキャストし、当該所定情報に対して電力計測装置１０１から送信される電力計測装置１０１のアドレス情報を受信する。そして、通信部２１は、当該アドレス情報を用いて、電力計測装置１０１のアドレスを宛先アドレスとして含む電力情報要求を送信し、電力情報要求に対して電力計測装置１０１から送信される計測情報を受信する。
【００９９】
このように、端末装置２０２が、電力計測装置１０１に対してアドレス情報を要求して取得する構成により、電力計測装置１０１のアドレスをユーザが確認するための液晶画面等を電力計測装置１０１に設ける必要がなくなる。また、端末装置２０２が自動的に電力計測装置１０１のアドレスを取得することができるため、ユーザは、電力計測装置１０１のアドレスを認識して端末装置２０２に設定する必要がない。
【０１００】
したがって、本発明の実施の形態に係る端末装置では、電力に関する計測情報を伝送する電力計測システムにおいて、電力計測装置のコスト増加を抑制しながら、簡易な方法で電力計測装置のアドレスを端末装置に設定することができる。
【０１０１】
また、電力計測装置１０１が適切なタイミングで自己のアドレスを端末装置２０２に通知することができるため、たとえば電力計測装置１０１が自己のアドレス情報をブロードキャストする必要がなくなり、処理負荷の増加および通信トラフィックの増加を防ぐことができる。
【０１０２】
また、本発明の実施の形態に係る電力計測システムおよび通信制御方法では、まず、電力計測装置１０１および端末装置２０２が、電力計測装置１０１と端末装置２０２との間で送受信される情報の中継、および他の装置と端末装置２０２との間で送受信される情報の中継を並行して行なうことが可能な無線ＬＡＮルータ１５１との通信接続を確立する。次に、電力計測装置１０１が、通信接続を確立した後、自己のアドレスである自己アドレスの情報を無線ＬＡＮルータ１５１を介して送信する。次に、端末装置２０２が、上記自己アドレスの情報を受信して、上記自己アドレスを宛先アドレスとして含む電力情報要求を送信し、電力情報要求に対して電力計測装置１０１から送信される計測情報であって、上記自己アドレスを送信元アドレスとして含む計測情報を受信する。
【０１０３】
このように、電力計測装置１０１が自己のアドレスを端末装置２０２に通知する構成により、電力計測装置１０１のアドレスをユーザが確認するための液晶画面等を電力計測装置１０１に設ける必要がなくなる。また、端末装置２０２が自動的に電力計測装置１０１のアドレスを取得することができるため、ユーザは、電力計測装置１０１のアドレスを認識して端末装置２０２に設定する必要がない。
【０１０４】
したがって、本発明の実施の形態に係る電力計測システムおよび通信制御方法では、電力に関する計測情報を伝送する電力計測システムにおいて、電力計測装置のコスト増加を抑制しながら、簡易な方法で電力計測装置のアドレスを端末装置に設定することができる。
【０１０５】
なお、本発明の実施の形態に係る電力計測システムは、無線ＬＡＮシステムを用いた無線通信を行なう構成であるとしたが、これに限定するものではない。電力計測システム３０１は、無線ＬＡＮシステムの代わりに、ＺｉｇＢｅｅ（登録商標）、Ｂｌｕｅｔｏｏｔｈ（登録商標）、ＬＴＥに従う移動体通信システム、およびＷｉＭＡＸ等、他の無線通信システムを用いた無線通信を行なう構成であってもよい。
【０１０６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１０７】
以上の説明は、以下に付記する特徴を含む。
【０１０８】
［付記１］
電力計測装置であって、
電力計測部と、
通信相手である対象装置と通信を行い、前記電力計測部による計測結果に基づく計測情報を無線信号に含めて送信可能な通信部とを備え、
前記通信部は、自己の前記電力計測装置と前記対象装置との間で送受信される情報の中継、および他の装置と前記対象装置との間で送受信される情報の中継を並行して行なうことが可能な中継装置を介して前記対象装置と通信を行い、かつ前記中継装置からの無線信号に含まれる情報のうち、宛先アドレスとして自己の前記電力計測装置のアドレスである自己アドレスを含む情報を選択的に処理し、前記自己アドレスを送信元アドレスとして前記計測情報とともに無線信号に含めて前記中継装置へ送信し、
前記電力計測装置は、さらに、
前記自己アドレスの情報を前記対象装置に通知する通知部を備え、
前記中継装置はルータであり、
前記計測情報は、宅内における発電電力、消費電力および売買電力の少なくともいずれか１つを示す、電力計測装置。
【０１０９】
［付記２］
端末装置であって、
電力計測装置と前記端末装置との間で送受信される情報の中継、および他の装置と前記端末装置との間で送受信される情報の中継を並行して行なうことが可能な中継装置との通信接続を確立する通信部と、
前記通信接続が確立した後、所定情報を前記中継装置経由でブロードキャストし、前記所定情報に対して前記電力計測装置から送信される前記電力計測装置のアドレス情報を受信するアドレス要求部とを備え、
前記通信部は、前記アドレス情報を用いて、前記電力計測装置のアドレスを宛先アドレスとして含む電力情報要求を送信し、前記電力情報要求に対して前記電力計測装置から送信される計測情報を受信し、
前記中継装置はルータであり、
前記計測情報は、宅内における発電電力、消費電力および売買電力の少なくともいずれか１つを示す、端末装置。
【０１１０】
［付記３］
電力計測装置と、
前記電力計測装置の通信相手である対象装置とを備え、
前記電力計測装置は、電力の計測結果に基づく計測情報を無線信号に含めて送信可能であり、
前記電力計測装置および前記対象装置の各々は、前記電力計測装置と前記対象装置との間で送受信される情報の中継、および他の装置と前記対象装置との間で送受信される情報の中継を並行して行なうことが可能な中継装置との通信接続を確立し、
前記電力計測装置は、前記通信接続を確立した後、自己のアドレスである自己アドレスの情報を前記中継装置を介して送信し、
前記対象装置は、前記自己アドレスの情報を受信して、前記自己アドレスを宛先アドレスとして含む電力情報要求を送信し、前記電力情報要求に対して前記電力計測装置から送信される計測情報であって、前記自己アドレスを送信元アドレスとして含む計測情報を受信し、
前記中継装置はルータであり、
前記計測情報は、宅内における発電電力、消費電力および売買電力の少なくともいずれか１つを示す、電力計測システム。
【符号の説明】
【０１１１】
１１  電圧変換回路
１２  演算処理部（通知部）
１３  通信部
１４  記憶部
１５  クロック回路
１６  電源回路
１７  操作部
２１  通信部
２２  演算処理部（アドレス要求部）
２３  表示部
２４  操作部
２５  記憶部
１０１  電力計測装置
１５１  無線ＬＡＮルータ（中継装置）
１６２  ＰＣＳ
１６３  発電装置
１６４  ＣＴセンサ
２０２  端末装置
３０１  電力計測システム
【図１】
2015162907.tif 000003
【図２】
2015162907.tif 000004
【図３】
2015162907.tif 000005